(57)【要約】【課題】小型で簡易な木材チップの搬送装置を提供する。【解決手段】荷室２に収容された木材チップ３を荷役するための木材チップ３の搬送装置４において、荷室２内に水を注入する水注入手段５と、水の注入で浮き上がった木材チップ３を荷室２からオーバーフローさせて荷室２外に案内するチップ流路６と、そのチップ流路６から水と共にオーバーフローした木材チップ３を受けると共に水を分離して木材チップ３を荷役するメッシュコンベア７と、メッシュコンベア７から落下した水を受け、これを水注入手段５に戻して循環させるための集水部８とを備えたものである。【選択図】図３
2007137587.tif 000002
【特許請求の範囲】
【請求項１】
荷室に収容された木材チップを荷役するための木材チップの搬送装置において、荷室内に水を注入する水注入手段と、水の注入で浮き上がった木材チップを荷室からオーバーフローさせて荷室外に案内するチップ流路と、そのチップ流路から水と共にオーバーフローした木材チップを受けると共に水を分離して木材チップを荷役するメッシュコンベアと、メッシュコンベアから落下した水を受け、これを水注入手段に戻して循環させるための集水部とを備えたことを特徴とする木材チップの搬送装置。
【請求項２】
水注入手段は、水ポンプと、その水ポンプの吐出口と荷室を接続する注水管と、水ポンプの吸込口と集水部を接続する戻し管と、その戻し管に水を供給するための給水源とからなる請求項１記載の木材チップの搬送装置。
【請求項３】
荷室は木材チップを運搬するチップ船に複数形成され、注水管は、上記チップ船の甲板又は船底部に沿って設けられる請求項２に記載の木材チップの搬送装置。
【請求項４】
戻し管には水からチップゴミを漉し取るフィルタが設けられる請求項２又は３に記載の木材チップの搬送装置。
【請求項５】
集水部はメッシュコンベアに沿って樋状に形成される請求項１〜４いずれかに記載の木材チップの搬送装置。
【発明の詳細な説明】
【技術分野】
【０００１】
本発明は、荷室に収容された木材チップを荷役する木材チップの搬送装置に関する。
【背景技術】
【０００２】
製紙、パルプの原料となる木材チップはチップ船に積載され、港湾付近の製紙工場に荷役される。
【０００３】
一般的に大規模な港（ハブ港）には荷役機械が設置されており、小規模な港（スポーク港）には設置されていない。このため、小規模な港で荷役を行う小型のチップ船には荷役機械が必須となる。
【０００４】
チップ船の荷役機械たるデッキクレーンとしては、図４及び図５に示すグラブバケット付きのデッキクレーン（以下、デッキクレーンとのみ記述）が使用される。図示するように、デッキクレーン３０は、チップ船３１の甲板３２上に旋回自在に設けられるクレーン本体３３と、クレーン本体３３に俯仰自在に設けられるブーム３４と、ブーム３４の先端に昇降自在に吊り下げられるグラブバケット３５とからなり、甲板３２に形成された荷搬出入口３６に臨んで複数設けられる。また、チップ船３１の甲板３２上には、グラブバケット３５から落下される木材チップ（図示せず）を受けるための複数のホッパ３７と、これらホッパ３７から落下される木材チップを港湾設備（図示せず）に受け渡すべく移送するコンベア３８とが設けられる。
【０００５】
【特許文献１】特開２００１−３２８７２５号公報
【特許文献２】特開平０７−３００２４０号公報
【特許文献３】特開平０６−２７８６８２号公報
【発明の開示】
【発明が解決しようとする課題】
【０００６】
ところで、デッキクレーンなどの荷役機械は、タワー状の本体と長尺のブームと高出力の駆動装置とを有する大がかりなものであり、特に航行時の小型のチップ船にあっては操舵室からの視界を遮る障害物でもあった。また、甲板上でブームやグラブバケット等を駆動するものであるため、荷役時の安全管理を徹底する必要があると共に、きめ細かなメンテナンスが必要であった。
【０００７】
そこで、本発明の目的は、上記課題を解決し、小型で簡易な木材チップの搬送装置を提供することにある。
【課題を解決するための手段】
【０００８】
上記課題を解決するために本発明は、荷室に収容された木材チップを荷役するための木材チップの搬送装置において、荷室内に水を注入する水注入手段と、水の注入で浮き上がった木材チップを荷室からオーバーフローさせて荷室外に案内するチップ流路と、そのチップ流路から水と共にオーバーフローした木材チップを受けると共に水を分離して木材チップを荷役するメッシュコンベアと、メッシュコンベアから落下した水を受け、これを水注入手段に戻して循環させるための集水部とを備えたものである。
【０００９】
水注入手段は、水ポンプと、その水ポンプの吐出口と荷室を接続する注水管と、水ポンプの吸込口と集水部を接続する戻し管と、その戻し管に水を供給するための給水源とからなるとよい。
【００１０】
荷室は木材チップを運搬するチップ船に複数形成され、注水管は、上記チップ船の甲板又は船底部に沿って設けられるとよい。
【００１１】
戻し管には水からチップゴミを漉し取るフィルタが設けられるとよい。
【００１２】
集水部はメッシュコンベアに沿って樋状に形成されるとよい。
【発明の効果】
【００１３】
本発明によれば、小型で簡易な木材チップの搬送装置で荷室に収容された木材チップを荷役することができる。
【発明を実施するための最良の形態】
【００１４】
本発明の好適実施の形態を添付図面を用いて説明する。
【００１５】
図１及び図２に示すように、木材チップ３を運搬するチップ船１は、複数の荷室２を有し、それぞれの荷室２に木材チップ３を収容するようになっている。また、チップ船１には、荷室２に収容された木材チップ３を荷役するための搬送装置４が設けられている。
【００１６】
図１及び図３に示すように、搬送装置４は、荷室２内に水を注入する水注入手段５と、水の注入で浮き上がった木材チップ３を荷室２からオーバーフローさせて荷室２外に案内するチップ流路６と、そのチップ流路６から水と共にオーバーフローした木材チップ３を受けると共に水を分離して木材チップ３を荷役するメッシュコンベア７と、メッシュコンベア７から落下した水を受け、これを水注入手段５に戻して循環させるための集水部８とを備えて構成されている。
【００１７】
水注入手段５は、水ポンプ９と、その水ポンプ９の吐出口１０と荷室２を接続する注水管１１と、水ポンプ９の吸込口１２と集水部８を接続する戻し管１３と、その戻し管１３に水道水を供給するための給水源１４とからなる。注水管１１は、甲板１５と船底部１６とに沿って予め設けられており、それぞれ荷室２の上下に接続されている。特に荷室２の上部に接続される注水管１１は、荷室２の上部から水を供給することで木材チップ３の上層部にも水を含ませ、流動性を与えるようになっている。なお、木材チップ３が乾燥状態で十分流動性を有する性状である場合には、荷室２の下部にのみ注水管１１を接続してもよく、木材チップ３に水を十分含ませたい場合には荷室２の上部にのみ注水管１１を接続してもよい。また、注水管１１にはそれぞれ開閉弁１７が設けられており、任意の荷室２を選択して注水できるようになっている。戻し管１３には木材チップ３を運んだ水からチップゴミを漉し取るためのフィルタ１８が設けられている。給水源１４は、上水道から供給される水を溜める給水タンク１９と、給水タンク１９と戻し管１３を接続する給水管２０とからなる。給水管２０には開閉弁２１が設けられている。また、注水管１１には、完全に荷役を終えた後に水を下水道等に排出するための排水管２２が分岐接続されている。排水管２２には開閉弁２３が設けられており、荷役中に水を流出させないようになっている。
【００１８】
メッシュコンベア７は、メッシュ状のコンベアベルト２４を有するベルトコンベアであり、甲板１５の一側に沿って前後方向に延びて設けられている。コンベアベルト２４のメッシュ地は、木材チップ３を通さない程度の大きさの網目に形成されている。また、メッシュコンベア７は、送り側（木材チップが乗る側）のコンベアベルト２４をＶ字状に折り曲げるように形成されており、一側から流れ込む木材チップ３を確実に受けるようになっている。また、メッシュコンベア７の下流側の端は、港湾設備２５のホッパ等に木材チップ３を受け渡すように船外の所定の位置まで延出されている。
【００１９】
チップ流路６は、荷室２の上部側壁２６からメッシュコンベア７のある側方に延びて形成されており、荷室２からオーバーフローした木材チップ３を水と共にメッシュコンベア７上に流すようになっている。
【００２０】
集水部８は、メッシュコンベア７に沿って樋状に形成されている。集水部８は、長手方向に沿って複数の接続口２７を有し、それぞれの接続口２７に戻し管１３が接続されている。戻し管１３は、集水部８のそれぞれの接続口２７から流入する水を集合させて水ポンプ９の吸込口１２に流すように形成されている。また、戻し管１３には、荷卸し後の荷室２から水を回収すべく荷室２の底部に接続される回収管２８が接続されている。回収管２８には開閉弁２９が設けられており、水回収時以外には水を流通させないようになっている。
【００２１】
なお、メッシュコンベア７は船外の所定の位置まで延出されるものとしたが、チップ船１に別途港湾設備２５に木材チップ３を受け渡すための受け渡し専用コンベア（図示せず）を設け、メッシュコンベア７から受け渡し専用コンベアに木材チップ３を受け渡すようにしてもよい。この場合、メッシュコンベア７を船外に延出させる必要はない。
【００２２】
また、給水タンク１９には水道水を供給するものとしたが、木材チップ３を傷めない水であればこれに限るものではない。例えば、雨水や工業用水等の真水であってもよく、木材チップ３の品質保持に好適な薬品等が溶けた水等であってもよい。さらに、予め港に貯水槽（図示せず）を設置しておき、貯水槽内の水を利用してもよい。水を節約することができる。
【００２３】
使用済みの水は、環境基準を十分満たすようにきれいに処理することにより、海等に排水することができると共に再使用も可能である。
【００２４】
次に本実施の形態の作用を述べる。
【００２５】
チップ船１の荷室２から木材チップ３を荷卸しする場合、図１及び図３に示すように、給水タンク１９に水道水を供給すると共に給水管２０の開閉弁２１を開け、戻し管１３に水道水を供給する。この後、いずれかの荷室２に接続される注水管１１の開閉弁１７を開放し、水ポンプ９とメッシュコンベア７を駆動させる。戻し管１３に供給された水は、水ポンプ９によって荷室２内に注水される。これにより荷室２内の木材チップ３には浮力が発生し、水位が所定高さに達すると木材チップ３は浮上し始める。そして、木材チップ３はチップ流路６の高さを越えると、オーバーフローしてチップ流路６に流れ込み、メッシュコンベア７上に流れる。メッシュコンベア７のコンベアベルト２４はメッシュ状に形成されているため、木材チップ３のみを受けて水を通過させる。これにより木材チップ３と水を分離でき、木材チップ３のみをメッシュコンベア７で移送して港湾設備２５に受け渡すことができる。他方、メッシュコンベア７から落下した水は、集水部８で集められて戻し管１３に流れ、戻し管１３に設けられたフィルタ１８を通過することでチップゴミ等の異物を除去され、浄水される。浄水された水は再び水ポンプ９の吸込口１２に戻され、循環される。
【００２６】
このようにして上記荷室２の木材チップ３を全て荷卸ししたら、注水管１１の開閉弁１７を閉じると共に他の荷室２に接続される注水管１１の開閉弁１７を開け、さらに回収管２８の開閉弁２９を開く。荷卸しを終えた荷室２内には水のみが残っており、荷室２内の水は回収管２８を介して戻し管１３に流れる。戻し管１３から水ポンプ９に戻った水は、注水管１１を開いた他の荷室２に注水される。これにより、荷卸しをする荷室２を切り替えることができる。このようにして、全ての荷室２の木材チップ３を荷卸ししたら、回収管２８の開閉弁２９を開くと共に注水管１１の開閉弁１７を全て閉じ、さらに排水管２２の開閉弁２３を開ける。これにより、荷室２内の水は、回収管２８を介して戻し管１３に流れ、注水管１１を経て排水管２２から下水道に排出されることとなり、荷室２を空にすることができる。
【００２７】
このように、荷室２内に水を注入する水注入手段５と、水の注入で浮き上がった木材チップ３を荷室２からオーバーフローさせて荷室２外に案内するチップ流路６と、そのチップ流路６から水と共にオーバーフローした木材チップ３を受けると共に水を分離して木材チップ３を荷役するメッシュコンベア７と、メッシュコンベア７から落下した水を受け、これを水注入手段５に戻して循環させるための集水部８とを備えて木材チップ３の搬送装置４を構成したため、小型で簡易な木材チップ３の搬送装置４で荷室２に収容された木材チップ３を荷役することができる。そして、大きな荷役機械を駆動する場合と比べて安全管理とメンテナンスを簡易なものにできる。
【００２８】
水注入手段５は、水ポンプ９と、その水ポンプ９の吐出口１０と荷室２を接続する注水管１１と、水ポンプ９の吸込口１２と集水部８を接続する戻し管１３と、その戻し管１３に水道水を供給するための給水源１４とからなるものとしたため、港から良好な水を簡単に得ることができると共に、少量の水を循環させて効率よく荷卸しできる。
【００２９】
荷室２は木材チップ３を運搬するチップ船１に複数形成され、注水管１１は、チップ船１の甲板１５又は船底部１６に沿って予め設けられるものとしたため、甲板１５上からタワー状の荷役機械をなくすことができ、操舵室からの視界を良好にできると共に、目立たないものにでき、チップ船１の船内及び船上空間を有効に利用することができる。
【００３０】
戻し管１３には水からチップゴミを漉し取るフィルタ１８が設けられるものとしたため、水が循環中に汚れて水ポンプ９や管路等に詰まるのを防ぐことができ、荷卸し完了後には下水道に排出することができる。
【００３１】
集水部８はメッシュコンベア７に沿って樋状に形成されるものとしたため、メッシュコンベア７から落下する水を簡易な構造で容易に集めることができる。
【００３２】
なお、荷室２を１つずつ荷卸しするものとしたが、異なる荷室２に接続される複数の注水管１１を同時に開き、複数の荷室２を同時に荷卸しするものとしてもよい。この場合、水の消費量は増えるが、荷卸しに要する時間を短縮することが可能となる。
【００３３】
また、木材チップの搬送装置は、チップ船の荷室から木材チップを荷役するものについて説明したがこれに限るものではない。搬送装置は、荷室から木材チップを荷役する作業全般に用いることができるのは勿論である。
【図面の簡単な説明】
【００３４】
【図１】本発明の好適実施の形態を示す荷卸ししているチップ船の側面図である。
【図２】荷卸ししているチップ船の平面図である。
【図３】木材チップの搬送装置を示す回路図である。
【図４】従来のチップ船の側面図である。
【図５】従来のチップ船の平面図である。
【符号の説明】
【００３５】
１  チップ船
２  荷室
３  木材チップ
４  搬送装置
５  水注入手段
６  チップ流路
７  メッシュコンベア
８  集水部
９  水ポンプ
１０  吐出口
１１  注水管
１２  吸込口
１３  戻し管
１４  給水源
１５  甲板
１６  船底部
１８  フィルタ
【図１】
2007137587.tif 000003
【図２】
2007137587.tif 000004
【図３】
2007137587.tif 000005
【図４】
2007137587.tif 000006
【図５】
2007137587.tif 000007